(57)【要約】【課題】組み立てまたは検査対象の水晶製品が変わるときも、最短の時間で段取り替えを行う回転式スタンド付きテーブル装置を提供する。【解決手段】テーブル装置は割り出し動作可能なインデックステーブル１と、インデックステーブル１の上面に周方向に等間隔を保って配置されたスタンド３と、スタンド３の外周域に設けられたプランジャ１１とを備える。スタンド３はインデックステーブル面に垂直な軸の周りに回転し、それぞれワークを置く４個のポケット部１２ａ、１２ｂ、１２ｃ、１２ｄを有する。【選択図】図２
2006159336.tif 000002
【特許請求の範囲】
【請求項１】
駆動軸上にあって割り出し動作可能なインデックステーブルと、前記インデックステーブルの上面に周方向に等間隔を保って配置された複数のスタンドと、前記スタンドの外周域に設けられ、前記スタンドを予め決められた位置に置く位置決め機構とを備え、前記各スタンドはインデックステーブル面に垂直である軸の周りに回転可能に設けられ、それぞれワークを置く大きさの異なる複数のポケット部を有する回転式スタンド付きテーブル装置。
【請求項２】
前記インデックステーブルの上面に連絡管を介して前記スタンドと結ぶチャンバを備える請求項１記載の回転式スタンド付きテーブル装置。
【発明の詳細な説明】
【技術分野】
【０００１】
本発明は水晶振動子などの組み立てあるいは検査工程において検査対象の製品が変わるときも、最短の時間で段取り替えが行えるようにした回転式スタンド付きテーブル装置に関する。
【背景技術】
【０００２】
水晶の特徴である安定な機械振動と圧電効果とを利用した水晶振動子および水晶発信器は通信機器、電子機器の周波数制御に極めて重要な役割を担っている。近年の携帯電話、ＰＨＳに代表される情報デバイス、情報家電向けデバイスの著しい発展に目を向けるとき、こうした水晶振動子および水晶発信器がデバイス特有の機能を果たすためにさらに重要性を増すことは疑いのないことである。
【０００３】
ところで、水晶製品、たとえば、ＳＭＤ水晶振動子のような移動体通信向け小型水晶製品の製造工程はその多くが自動化された各種の生産装置によって行われている。この製造工程の自動化された生産装置と比べて組み立て工程あるいは検査工程については製造工程同様に多種にわたる水晶製品を扱うにも拘らず、十分に顧みられていない。たとえば、検査工程などにおいて同種の水晶製品を扱うときでも、寸法が相違するなど、測定対象が変わる都度、段取り替えが必要であるが、こうした点への配慮も十分に行き届かない。
【０００４】
水晶振動子などの検査工程、たとえば、電気的特性検査ではインデックステーブルが使用される。図６に示すように、円形のインデックステーブル５１には等間隔に検査対象のワークを置く、複数のスタンド５２が配置される。このスタンド５２はインデックステーブル５１上に図示しない締結部材を用いて固定されており、これを簡単には動かせない。通常、電気的特性検査ではスタンド５２上面に固定したワークを当該ステーション近くに設置した測定装置を用いて測定する。
【発明の開示】
【発明が解決しようとする課題】
【０００５】
インデックステーブル５１を使用する検査では、たとえば、検査対象の水晶振動子寸法が変わる度にスタンド５２の交換が必要となり、全てのスタンド５２を交換するのに多大な時間を費やすことがある。このスタンド交換中、テーブル上での全ての作業は中断を強いられることで、スタンド交換に要する時間が長くなればなる程、また、段取り替え回数が多くなればなる程、無駄時間が大きくなる。
【０００６】
多種にわたる水晶製品が続いて組み立て工程および検査工程を経なければならない状況下で直接生産に寄与しない無駄時間が大きくなることは避けなければならない。しかし、現状のインデックステーブル５１によっては無駄時間の短縮を図ることは難しい。
【０００７】
本発明の目的は組み立てまたは検査対象の製品が変わるときも、最短の時間で段取り替えを行うことを可能にした回転式スタンド付きテーブル装置を提供することにある。
【課題を解決するための手段】
【０００８】
本発明によるテーブル装置は駆動軸上にあって割り出し動作可能なインデックステーブルと、インデックステーブルの上面に周方向に等間隔を保って配置された複数のスタンドと、スタンドの外周域に設けられ、スタンドを予め決められた位置に置く位置決め機構とを備え、各スタンドはインデックステーブル面に垂直である軸の周りに回転可能に設けられ、それぞれワークを置く大きさの異なる複数のポケット部を有することを特徴する。
【０００９】
本発明においてはインデックステーブルの周方向に等間隔を保って複数のスタンドが設けられる。各スタンドはインデックステーブル面に垂直である軸の周りに回転することが可能で、検査員がスタンドを旋回させたとき、スタンドの回転と共にワークを置くポケット部が手前にくる。ポケット部はワーク、たとえば、多種にわたる水晶振動子に応じた寸法に従って複数、たとえば、４個形成されるので、検査あるいは組み立て対象のワークに合ったポケット部が手前にくる。
【００１０】
この複数のポケット部を備えた回転式スタンドにより１つのステーションではスタンド交換を行うことなく、各々寸法の相違する４から１０数種類のワークを扱うことが可能になり、段取り替えに要する時間が各段に短くなることで、直接生産に寄与しない無駄時間を大きく短縮することができる。
【発明を実施するための最良の形態】
【００１１】
本発明によるテーブル装置の一実施の形態について図面を参照して説明する。図１において、本実施の形態のテーブル装置は作業テーブルとして平坦な上面を有する、円形のインデックステーブル１を備える。このインデックステーブル１はコラム２によって支持されており、電動モータ（図示せず）で回転駆動されるコラム２の回転に従って同じ方向に回転する。インデックステーブル１は図示しないゼネバストッパ装置で割り出し運動を行うことが可能である。
【００１２】
インデックステーブル１の上面に後に詳述される８台の回転式スタンド３が配置される。これらのスタンド３はいずれも同一の手段からなり、スタンド３内のマニホールド（後記）と連絡管４とを介してインデックステーブル１の中心に設けられるチャンバ５と連絡している。なお、連絡管４はスタンド３と結ぶ側にワンタッチ式カップリング（図示せず）を備える。
【００１３】
本実施の形態のテーブル装置は、たとえば、水晶振動子の封止工程でワークから空気を抽出する真空装置６を備える。この真空装置６は真空ポンプ７と、電磁弁８と、空気を外部に導く空気抽出管９とで構成される。また、テーブル装置はテーブル駆動用電動モータ、減速機、ゼネバストップ装置などの装置を収容するケーシング１０を備える。
【００１４】
図２に示すように、回転式スタンド３はインデックステーブル１の上面に等間隔を保って８台配置される。インデックステーブル１の大きさに従ってスタンド３はさらに台数を増してもよい。このスタンド３は基本的には時計回りに回したときにインデックステーブル１の外周部近くにワークがくるように、テーブル面にその位置を固定する。この位置決めのために位置決め機構、たとえば、プランジャ１１がインデックステーブル１の外周域に配置される。このプランジャ１１はスタンド３の外周部に合わせて設けられる位置決め用ピン（後記）を備える。
【００１５】
スタンド３はそれぞれ水晶振動子などのワークを置く矩形のポケット部１２ａ、１２ｂ、１２ｃ、１２ｄを備える。これらのポケット部１２ａ、１２ｂ、１２ｃ、１２ｄは周方向に等間隔に配置される。ポケット部１２ａ、１２ｂ、１２ｃ、１２ｄは、図３に示すように、それぞれ大きさが異なり、ポケット部１２ａが最も小さく、寸法の小さいワークを受け入れることができる。ポケット部１２ｂはポケット部１２ａよりも少し大きく、ポケット部１２ｃはポケット１２ｂよりも大きく、ポケット部１２ｄは最も大きく形成される。このポケット部１２ａ、１２ｂ、１２ｃ、１２ｄは基本的には可能な限り多くの水晶製品を扱えるように、縦、横寸法を決定する。
【００１６】
図４（ａ）に示すように、回転式スタンド３はインデックステーブル１の上面に載置される円盤１３を有する。この円盤１３の中心にシャフト１４が固定されている。円盤１３の上方にはシャフト１４と同心に旋回台１５が設けられる。各ポケット部１２ａ、１２ｂ、１２ｃ、１２ｄはこの旋回台１５に形成される。旋回台１５はシャフト１４に固着される軸受１６によって支承されており、時計回り、反時計回り両方向に回転することができる。
【００１７】
旋回台１５は外周部に備えられる囲い板１７で覆われた広い空間を有する。囲い板１７の下方に円盤１３と対峙して補助板１８が装着される。円盤１３とこの補助板１８との間にスラスト荷重を受けるスラスト軸受１９が設けられる。
【００１８】
旋回台１５内にはポケット部１２ａ、１２ｂ、１２ｃ、１２ｄと連絡するマニホールド２０が設けられる。このマニホールド２０は封止工程などで真空装置６の真空ポンプ７と協働して空気を抽出するのに用いられる。なお、図４（ａ）において符号２１はキャップを示している。
【００１９】
図４（ｂ）に示すように、旋回台１５の外周面には各ポケット部１２ａ、１２ｂ、１２ｃ、１２ｄと決められた角度だけ位置をずらし、周方向に等間隔を保って４個のコーン形溝２２が刻設される。このコーン形溝２２はプランジャ１１のピン（後記）と協働して旋回台１５を正確に位置決めするために用いられる。
【００２０】
一方、図５に示すように、プランジャ１１は本体２３を有する。この本体２３はインデックステーブル１の上面に立設される。本体２３は底面から所定の高さを保って水平方向に穿たれる中心孔２４と、この中心孔２４よりも直径の小さい小孔２５とを有する。中心孔２４から小孔２５にわたるように球形の頭部を有するピン２６が嵌入される。
【００２１】
さらに、中心孔２４内のピン２６の軸部に沿って装着されるばね２７が設けられる。ばね２７は頭部と反対側で中心孔２４のねじと螺合するプラグ２８と接しており、ピン２６を軸方向に付勢している。ピン２６の頭部は旋回台１５のコーン形溝２２と同じ直径寸法を有し、スタンド操作で旋回台１５を回してコーン形溝２２がピン２６の球形頭部に合ったとき、双方の嵌合によってスタンド３の位置を正確に位置決めすることができる。
【００２２】
本実施の形態は上記の構成からなるもので、スタンド３から連絡管４のカップリングを外した状態で旋回台１５を時計回りに回して手前に検査対象のワークと合うポケット部がくるまで、回転させる。このとき、プランジャ１１のピン２６が旋回台１５の溝２２と合ったとき、スタンド３の旋回が止まる。手前にあるポケット部、たとえば、ポケット部１２ａにそのポケットサイズに合ったワークを置く。たとえば、電気的特性を測定するものとすれば、ステーションに用意された測定器のプローブをワークの導電部に接触させ、メータ表示を読むことができる。また、測定した値を自動的に記録することができる。
【００２３】
このテーブル装置は検査工程以外に組み立て工程にも適用できるように、予め決められた機器を装備する。たとえば、封止工程ではスタンド３内のマニホールド２０と連絡管４とをカップリングによって連結する。真空ポンプ７を始動させ、連絡管４およびチャンバ５内の空気を抽出し、真空度を上昇させる。規定の真空度を保ちながら、ワーク内をアタッチメントを用いて連絡管４と連通し、内部の空気を抽出して真空状態を保ちながら、気密封止する。
【００２４】
ポケット部１２ａ、１２ｂ、１２ｃ、１２ｄはそれぞれ大きさが異なるので、１つのステーションではスタンド交換を行わず、寸法の相違する４から１０数種類のワークを扱うことが可能であって、段取り替えに要する時間が格段に短くなることで、直接生産に寄与しない無駄時間を大きく短縮することができる。
【００２５】
また、この軸受１６に支えられた旋回台１５によれば、これを操作する検査員などが手で旋回台１５を軽く回すことが可能で、寸法の相違する１つのワークから他のワークへの段取り替えも容易で、極めて短時間のうちに完了させることができる。
【００２６】
このように本実施の形態によれば、組み立てあるいは検査対象の水晶製品が変わるときも、極めて短時間のうちに段取り替えを果たすことが可能で、無駄時間を大きく短縮することができる。
【産業上の利用可能性】
【００２７】
本発明のテーブル装置は水晶振動子などの検査工程において対象ワークを検査するために段取り替えを実施するにあたり、段取り替えに要する時間を短縮するのに有用である。
【図面の簡単な説明】
【００２８】
【図１】本発明による回転式スタンド付きテーブル装置の一実施に形態を示す構成図である。
【図２】図１に示されるインデックステーブル上に置くスタンドを示す配置図である。
【図３】本発明に係るスタンド上に形成される４個のポケット部を示す配置図である。
【図４】図２に示されるスタンドの詳細を示すもので、（ａ）はスタンドの断面図、（ｂ）は位置決め用溝を示す配置図である。
【図５】本発明に係るプランジャの要部を示す一部省略立面図である。
【図６】従来のインデックステーブル上に置くスタンドを示す配置図である。
【符号の説明】
【００２９】
１…  インデックステーブル
３…  スタンド
４…  連絡管
５…  チャンバ
１１…  プランジャ
１２ａ、１２ｂ、１２ｃ、１２ｄ…  ポケット部
１３…  円盤
１５…  旋回台
１６…  軸受
１９…  スラスト軸受
２２…  コーン形溝
２６…  ピン
２７…  ばね
【図１】
2006159336.tif 000003
【図２】
2006159336.tif 000004
【図３】
2006159336.tif 000005
【図４】
2006159336.tif 000006
【図５】
2006159336.tif 000007
【図６】
2006159336.tif 000008